(57)【要約】      （修正有）【課題】衣服への取り付け作業が容易であって耐久性にも優れた衣服用ファンを提供する。【解決手段】衣服１００の取り付け孔１０１に取り付けられて衣服１００の表側と裏側を通気させるための衣服用ファン１であって、羽体１０と該羽体１０を内側に備えるハウジング１５とを備えた本体１３と、該本体１３に着脱自在に取り付けられる保持リング１４とを備え、ハウジング１５は、衣服１００の取り付け孔１０１に挿入される筒状の周壁部１８と、該周壁部１８の一端部側の外周面に突設されたフランジ部１９とを備え、保持リング１４は、ハウジング１５の周壁部１８の外周面に他端部側から装着される構成であって且つ軸線回りの一方向に回転させることでフランジ部１９に接近する構成であり、本体１３のフランジ部１９と保持リング１４との間に衣服１００を挟み込むようにして衣服１００に取り付けられる。【選択図】図４
2018109390.tif 000002
【特許請求の範囲】
【請求項１】
衣服の取り付け孔に取り付けられて衣服の表側と裏側を通気させるための衣服用ファンであって、
羽体と該羽体を内側に備えるハウジングとを備えた本体と、該本体に着脱自在に取り付けられる保持リングとを備え、
ハウジングは、衣服の取り付け孔に挿入される筒状の周壁部と、該周壁部の一端部側の外周面に突設されたフランジ部とを備え、
保持リングは、ハウジングの周壁部の外周面に他端部側から装着される構成であって且つ軸線回りの一方向に回転させることでフランジ部に接近する構成であり、
本体のフランジ部と保持リングとの間に衣服を挟み込むようにして衣服に取り付けられることを特徴とする衣服用ファン。
【請求項２】
ハウジングと保持リングには、互いに係止することで本体に対する保持リングの緩み止めとなる係止部がそれぞれ形成されている請求項１記載の衣服用ファン。
【請求項３】
衣服を保持リングと共に狭持するためのフランジ部の狭持面には、衣服に押し付けられる押圧突起が形成されている請求項１又は２記載の衣服用ファン。
【請求項４】
本体は、給電用のＬ型のオス側コネクタが接続される受電コネクタを備えており、ハウジングには、オス側コネクタが差し込まれる差し込み口が形成されていると共に、該差し込み口の周囲にはオス側コネクタとの干渉を回避するための逃げ部が凹設されており、該逃げ部は、差し込み口を正面から見たとき、差し込み口を中心として周壁部の軸線方向と直交する方向に対称の形状となっている請求項１乃至３の何れかに記載の衣服用ファン。
【発明の詳細な説明】
【技術分野】
【０００１】
本発明は、衣服の取り付け孔に取り付けられる衣服用ファンに関する。
【背景技術】
【０００２】
この種の衣服用ファンとして、下記特許文献１には、衣服の外側に位置する外部取付部品のフランジ部と、衣服の内側に位置する内部取付部品のフランジ部との間に衣服の取り付け孔の開口縁部を挟み込むことにより、衣服の取り付け孔に衣服用ファンを取り付ける構成が記載されている。そして、外部取付部品と内部取付部品をゴムベルトで連結して互いに分離しないようにしている。
【０００３】
しかしながら、ゴムベルトを使用して両部品を連結する構成であるために衣服への取り付け作業が煩雑である。また、ゴムベルトであるため劣化して破断しやすいという問題もある。
【先行技術文献】
【特許文献】
【０００４】
【特許文献１】特許第４３９９７６５号公報
【発明の概要】
【発明が解決しようとする課題】
【０００５】
それゆえに本発明は上記従来の問題点に鑑みてなされ、衣服への取り付け作業が容易であって耐久性にも優れた衣服用ファンを提供することを課題とする。
【課題を解決するための手段】
【０００６】
本発明は上記課題を解決すべくなされたものであって、本発明に係る衣服用ファンは、衣服の取り付け孔に取り付けられて衣服の表側と裏側を通気させるための衣服用ファンであって、羽体と該羽体を内側に備えるハウジングとを備えた本体と、該本体に着脱自在に取り付けられる保持リングとを備え、ハウジングは、衣服の取り付け孔に挿入される筒状の周壁部と、該周壁部の一端部側の外周面に突設されたフランジ部とを備え、保持リングは、ハウジングの周壁部の外周面に他端部側から装着される構成であって且つ軸線回りの一方向に回転させることでフランジ部に接近する構成であり、本体のフランジ部と保持リングとの間に衣服を挟み込むようにして衣服に取り付けられることを特徴とする。
【０００７】
該構成の衣服用ファンは、例えば本体のハウジングの周壁部を衣服の表側から取り付け孔に挿入する。ハウジングの周壁部は取り付け孔を通って衣服の裏側に突出する一方、ハウジングのフランジ部は取り付け孔を通らずに衣服の表側に位置して衣服の表面に当接する。そして、衣服の裏側に突出したハウジングの周壁部の外周面に衣服の裏側から保持リングを装着する。その際、保持リングを軸線回りの一方向に回転させることでフランジ部に接近させることができる。従って、保持リングを一方向に回転操作して、本体のフランジ部と保持リングとの間に衣服を挟み込んで、衣服用ファンを衣服に取り付ける。逆に、衣服から衣服用ファンを取り外す際には、保持リングを取り付け時とは反対方向に回転させることで、本体から保持リングを容易に取り外すことができる。
【０００８】
特に、ハウジングと保持リングには、互いに係止することで本体に対する保持リングの緩み止めとなる係止部がそれぞれ形成されていることが好ましく、衣服への取付状態がより一層確実なものとなる。
【０００９】
また、衣服を保持リングと共に狭持するためのフランジ部の狭持面には、衣服に押し付けられる押圧突起が形成されていることが好ましく、衣服をより一層強固に狭持することができて、衣服への取付状態がより一層確実なものとなる。
【００１０】
また、本体は、給電用のＬ型のオス側コネクタが接続される受電コネクタを備えており、ハウジングには、オス側コネクタが差し込まれる差し込み口が形成されていると共に、該差し込み口の周囲にはオス側コネクタとの干渉を回避するための逃げ部が凹設されており、該逃げ部は、差し込み口を正面から見たとき、差し込み口を中心として周壁部の軸線方向と直交する方向に対称の形状となっていることが好ましい。例えば、差し込み口を正面から見たときにおいて、周壁部の軸線方向を上下方向とすると、逃げ部は差し込み口を中心として左右対称形状となる。このように逃げ部が左右対称形状となっていると、差し込み口を介して受電コネクタに接続されたオス側コネクタを左側にも右側にも同程度回転させた状態とすることができる。従って、給電ケーブルの配線の自由度が高くなり、給電ケーブルを本体から左側に伸ばすようにしてもよいし、本体から右側に伸ばすようにしてもよい。また、オス側コネクタがハウジングに当接することでオス側コネクタに力が作用してオス側コネクタが受電コネクタから抜けやすくなったりするということも防止できる。そのため、オス側コネクタの受電コネクタへの接続状態が維持される。
【発明の効果】
【００１１】
以上のように、保持リングの回転操作という簡単な操作で本体のフランジ部と保持リングとの間に衣服を狭持できるので、取り付け作業の作業性に優れている。また、保持リングの回転によって衣服を狭持する構成であるため、ゴムベルトも不要であって、耐久性にも優れている。
【図面の簡単な説明】
【００１２】
【図１】本発明の一実施形態における衣服用ファンを平面側から見た斜視図。
【図２】同衣服用ファンの正面図。
【図３】同衣服用ファンの平面図。
【図４】図３のＡ−Ａ断面図。
【図５】図４の要部拡大図。
【図６】同衣服用ファンの本体を平面側から見た斜視図。
【図７】同衣服用ファンの本体の平面図。
【図８】同衣服用ファンの保持リングの斜視図。
【図９】同衣服用ファンにＬ型のオス側コネクタを接続した状態であってＬ型のオス側コネクタを右側に向けた状態を示しており、（ａ）は要部平面図、（ｂ）は正面図。
【図１０】同衣服用ファンにＬ型のオス側コネクタを接続した状態であってＬ型のオス側コネクタを左側に向けた状態を示しており、（ａ）は要部平面図、（ｂ）は正面図。
【図１１】同衣服用ファンにＬ型のオス側コネクタを接続した状態であってＬ型のオス側コネクタを右側に向けた状態を示す要部右側面図。
【図１２】同衣服用ファンを衣服に取り付けた使用状態を示し、（ａ）は正面図、（ｂ）は背面図。
【図１３】（ａ）及び（ｂ）は同衣服用ファンの本体における逃げ部の形成領域を示す模式図。
【図１４】本発明の他の実施形態における衣服用ファンの背面図。
【図１５】図１４のＢ−Ｂ断面図。
【図１６】同衣服用ファンの本体を平面側から見た斜視図。
【図１７】同衣服用ファンの保持リングを示し、（ａ）は平面側から見た斜視図、（ｂ）は断面図。
【発明を実施するための形態】
【００１３】
以下、本発明の一実施形態にかかる衣服用ファン１について図１〜図１３を参酌しつつ説明する。本実施形態における衣服用ファン１は、衣服１００に形成された取り付け孔１０１に取り付けられる。図１２に取付状態の一例を示している。冷却ファン装置は、衣服用ファン１と、バッテリ２と、バッテリ２と衣服用ファン１とを電気的につないでバッテリ２の電力を衣服用ファン１に供給するための給電ケーブル３とを備えている。衣服用ファン１の個数や配置等については任意であるが、本実施形態では、衣服用ファン１を二つ使用する構成を例示している。取り付け孔１０１は衣服１００の後ろ身頃の下部に左右一対対称配置で形成されており、その左右の取り付け孔１０１にそれぞれ衣服用ファン１が取り付けられる。バッテリ２は前身頃の裏面（内面）に取り付けられる。例えば、左側の前身頃の下部にバッテリ２が取り付けられて、バッテリ２から左右一対の衣服用ファン１との間が一つの給電ケーブル３によって接続される。給電ケーブル３は、バッテリ２から水平方向に延びて左右の衣服用ファン１に達する。給電ケーブル３は、途中で二股に分岐していて、分岐した各端部にはＬ型のオス側コネクタ４（図９、図１０参照）が備えられており、オス側コネクタ４が衣服用ファン１に接続される。
【００１４】
図４のように、衣服用ファン１は、回転する羽体１０を備えていて、羽体１０が回転することによって、取り付け孔１０１を介して衣服１００の表側と裏側とを通気する。通常は、羽体１０が回転することによって衣服１００の表側から空気を取り込んで裏側へ空気を排出する。即ち、衣服１００と体との間の隙間に外部の空気を送り込んで、体を冷却する。衣服１００の裏側に送り込まれた空気は、例えば衣服１００の袖口や首元から外部に排出される。
【００１５】
羽体１０はモータ１１の主軸１２に一体的に取り付けられていてモータ１１によって駆動される。説明の都合上、羽体１０の回転中心線の方向を上下方向とし、衣服１００への取付状態において衣服１００の裏側となる方を上側、衣服１００の表側となる方を下側として説明する。尚、図１、図２、図６、図７においてモータ１１等の内部構造の図示は省略している。衣服１００の取り付け孔１０１は丸形であり、衣服用ファン１は、取り付け孔１０１の形状に対応して図３のように平面視円形状であって、その中心線上に羽体１０の回転中心が位置している。衣服用ファン１は、上下方向の寸法（高さ）に対して直径が大きい扁平の円柱状である。
【００１６】
衣服用ファン１は、羽体１０及び該羽体１０の駆動源であるモータ１１を内蔵する本体１３と、該本体１３に着脱自在に取り付けられる保持リング１４とを備えている。本体１３は、ハウジング１５を備えており、該ハウジング１５の内側に羽体１０とモータ１１とが位置している。ハウジング１５は、扁平の筒状であって、底面部１６と、天面部１７と、底面部１６の周縁部と天面部１７の周縁部とを上下に連結する筒状の周壁部１８とを備えており、周壁部１８の一端部である下端部には径方向外側に向けてフランジ部１９が周設されている。尚、本体１３のハウジング１５と保持リング１４は軽量化のために何れも合成樹脂製とすることが好ましい。
【００１７】
＜底面部１６＞
底面部１６は、平坦状であってもよいが、図２、図４のように下側に向けて若干膨出した凸面状とされている。底面部１６には、多数の通気孔２０が形成されている。羽体１０が回転することで底面部１６の通気孔２０から空気がハウジング１５の内部に流入する。従って、底面部１６の通気孔２０は吸気側の通気孔２０である。
【００１８】
＜周壁部１８＞
周壁部１８は、上部１８ａと下部１８ｂに区画され、上部１８ａには多数の通気孔２０が形成されている一方、下部１８ｂには通気孔２０は形成されていない。周壁部１８の下部１８ｂの外周面は上下方向に沿って径一定で延びている。周壁部１８の上部１８ａは周壁部１８の下部１８ｂに対して一段小径となっていて天面部１７となだらかにつながっている。
【００１９】
周壁部１８の下部１８ｂの外周面には雄ネジ部２１が形成されている。雄ネジ部２１は、周壁部１８の下部１８ｂの外周面のうち、上下方向の中間部分のみに形成されている。従って、雄ネジ部２１はフランジ部１９から所定距離上方に離れて位置していて、周壁部１８の下部１８ｂの外周面のうち雄ネジ部２１の下側には雄ネジ部２１が形成されていない滑面２２が全周に亘って存在している。雄ネジ部２１とフランジ部１９の狭持面１９ａとの間の上下方向の離間距離は、衣服１００の厚さ、詳細には、取り付け孔１０１の開口縁部における衣服１００の生地の厚さよりも大きく、また、後述するフランジ部１９の押圧突起２３の突出高さよりも大きい。更には、雄ネジ部２１とフランジ部１９の狭持面１９ａとの間の上下方向の離間距離は、雄ネジ部２１のネジピッチよりも大きい。同様に、周壁部１８の下部１８ｂの外周面のうち雄ネジ部２１の上側にも雄ネジ部２１が形成されていない滑面が存在している。図５に示しているように、雄ネジ部２１のネジ山の先端部は先鋭に尖った形状や角張った形状ではなく断面視円弧状に丸味を帯びている。また、図６のように、本実施形態では、雄ネジ部２１の始点２１ａと終点２１ｂは、周壁部１８の下部１８ｂの外周面の全周において略同じ角度位置となっている。但し、雄ネジ部２１の始点２１ａと終点２１ｂが互いに異なる角度位置であってもよい。
【００２０】
＜フランジ部１９＞
フランジ部１９は周壁部１８の軸線方向に対して直交する方向に延びていて、従って、フランジ部１９は水平方向に延びている。フランジ部１９の上面は衣服１００の表面に当接する狭持面１９ａとなっていて、該狭持面１９ａは上下方向に対して直交する面である。また、フランジ部１９の狭持面１９ａに対して周壁部１８の下部１８ｂの外周面は直交している。フランジ部１９の幅は例えば全周に亘って略一定とされている。フランジ部１９は底面部１６の周縁部と径方向に連続している。
【００２１】
フランジ部１９の狭持面１９ａには、衣服１００の表面に押し付けられる押圧突起２３が形成されている。該押圧突起２３の形状、配置、個数等は任意であるが、図６及び図７のように、周方向に等間隔で配置されることが好ましく、例えば９０度間隔で合計四箇所に形成される。但し、押圧突起２３を１８０度間隔で二箇所形成したり１２０度間隔で三箇所形成したりしてもよい。押圧突起２３は、フランジ部１９の狭持面１９ａの全幅に亘って形成されることが好ましく、例えば、フランジ部１９の狭持面１９ａの内縁から外縁まで径方向に沿って筋状に延びる形状としてよい。また、押圧突起２３は下端よりも上端の方が幅狭となる形状であることが好ましい。
【００２２】
＜天面部１７＞
天面部１７は、全体として上側に膨出するドーム状である。天面部１７は、円形の頂上部１７ａにおいて略平坦となっていて、その頂上部１７ａの周縁部から径方向外側に向けて徐々に下降して周壁部１８とつながっている。即ち、天面部１７は、中央部に位置する頂上部１７ａと、該頂上部１７ａの径方向外側に環状に周設されて頂上部１７ａから周壁部１８にかけて徐々に下降するテーパ状の肩部１７ｂとを備えている。天面部１７の肩部１７ｂには、多数の通気孔２４が形成されている。尚、周壁部１８の上部１８ａの通気孔２４と天面部１７の周縁部の通気孔２４は連続した孔形状となっている。このように天面部１７の肩部１７ｂから周壁部１８の上部１８ａにかけて多数形成された通気孔２４は、排気側の通気孔２４であって、羽体１０が回転することで空気が通気孔２４を通ってハウジング１５の内部から外部に排出される。
【００２３】
天面部１７の頂上部１７ａと肩部１７ｂの境界部近傍に差し込み口２５が形成されており、その差し込み口２５の内側（内部）には受電コネクタ２６が配置されている。受電コネクタ２６は天面部１７の頂上部１７ａの下側に位置している。給電ケーブル３のＬ型のオス側コネクタ４が差し込み口２５を介して受電コネクタ２６に接続され、受電コネクタ２６からモータ１１へと電力が供給される。差し込み口２５は、ハウジング１５の上部１８ａに位置していて、径方向外側に向けて開口している。従って、オス側コネクタ４は受電コネクタ２６に径方向に接続される。
【００２４】
差し込み口２５の周囲には、オス側コネクタ４との干渉を回避するための逃げ部２７が凹設されている。該逃げ部２７は、天面部１７の肩部１７ｂの全周のうち所定箇所に一箇所形成されている。逃げ部２７は、天面部１７の肩部１７ｂから周壁部１８の上部１８ａにかけて形成されていて、その周方向の左右両側に対して一段下側に凹んだ凹部として形成されている。逃げ部２７は、平面視において扇状であってその中心角は例えば４０〜６０度程度とされている。図１３（ａ）に、平面視における逃げ部２７の形成領域を模式的に示している。図１３（ａ）においてクロスハッチングを施している部分が逃げ部２７の形成領域である。
【００２５】
また、逃げ部２７は、図２のように差し込み口２５を正面に見た正面視において、差し込み口２５を中心として左右対称形状とされている。オス側コネクタ４は、受電コネクタ２６に接続した状態において、その接続方向の軸線回りに回転させることができる。オス側コネクタ４を受電コネクタ２６に接続した状態において、図９のようにオス側コネクタ４を右側に水平に倒した状態から図１０のようにオス側コネクタ４を左側に水平に倒した状態まで、オス側コネクタ４を１８０度回転させることができる。図９のようにオス側コネクタ４を右側に水平に倒した状態を０度位置とし、図１０のようにオス側コネクタ４を左側に水平に倒した状態を１８０度位置としたとき、オス側コネクタ４を０度位置から１８０度位置まで１８０度の角度範囲で自由に回転させることができる。そして、例えばオス側コネクタ４を０度位置としたとき、図１１のようにオス側コネクタ４とハウジング１５の肩部１７ｂや周壁部１８の上部１８ａとの間には隙間Ｓが存在していて、オス側コネクタ４はハウジング１５の肩部１７ｂには干渉しない。オス側コネクタ４を１８０度位置としたときも同様であって、オス側コネクタ４はハウジング１５の肩部１７ｂや周壁部１８の上部１８ａとは干渉しない。
【００２６】
尚、逃げ部２７の形成領域は、種々の形状であってよい。即ち、逃げ部２７の形成領域を所定の中心角を有する平面視扇状とするのではなく、図１３（ｂ）のように、平面視において本体１３の中心から所定距離離間した位置に径方向と直交する方向に引いた直線によって区画されるＤカット状としてもよい。図１３（ｂ）においてクロスハッチングを施している部分が逃げ部２７の形成領域である。
【００２７】
＜ハウジング１５の部材構成＞
ハウジング１５は複数の部材から構成されている。即ち、ハウジング１５は、下側に位置するベース３０と、該ベース３０の上側に連結されるメッシュ状のカバー３１と、カバー３１に連結されるキャップ３２とから構成されている。ベース３０は、ハウジング１５の底面部１６とフランジ部１９と周壁部１８の下部１８ｂを構成しており、従って、ハウジング１５の底面部１６とフランジ部１９と周壁部１８の下部１８ｂは一つの部材として一体的に形成されている。カバー３１は、ハウジング１５の周壁部１８の上部１８ａと天面部１７の肩部１７ｂの大部分を構成しており、カバー３１に逃げ部２７が形成されている。カバー３１の下端部がベース３０の上端部の径方向内側に連結されている。カバー３１の上部中央部には円形の開口部３５が形成されていて、その開口部３５をキャップ３２が覆うように、キャップ３２がカバー３１に装着されている。キャップ３２は、ハウジング１５の天面部１７の頂上部１７ａと肩部１７ｂの上端部を構成している。また、カバー３１は、開口部３５から内側且つ下側に延びるモータ保持部３６を備えており、該モータ保持部３６にモータ１１が下側から取り付けられている。従って、モータ１１は、カバー３１の内側に吊り下げ保持された状態にある。カバー３１のモータ保持部３６とキャップ３２との間に受電コネクタ２６が配置されている。
【００２８】
＜保持リング１４＞
保持リング１４は、本体１３のハウジング１５の周壁部１８の下部１８ｂの外周面に装着される。上述のようにハウジング１５の周壁部１８の下部１８ｂの外周面には雄ネジ部２１が形成されているが、それに対応して保持リング１４の内周面には雌ネジ部４０が形成されており、保持リング１４は本体１３に上側から螺着される。雌ネジ部４０は、保持リング１４の内周面の全周に亘って連続して形成されていてもよいが、本実施形態では、保持リング１４の内周面の全周のうち所定角度範囲のみに形成されている。即ち、保持リング１４の内周面の全周は、雌ネジ部４０が形成された角度範囲と、雌ネジ部４０が形成されていない角度範囲４１とから構成されている。雌ネジ部４０が形成されていない角度範囲４１は１８０度対向して二箇所設けられており、従って、雌ネジ部４０が形成された角度範囲も周方向に間隔をあけて二箇所設けられている。但し、雌ネジ部４０が形成された角度範囲や雌ネジ部４０が形成されていない角度範囲４１の数や配置は任意であって種々変更してよい。
【００２９】
また、雌ネジ部４０は、保持リング１４の内周面の軸線方向（上下方向）の中央部のみに形成されていて、保持リング１４の内周面のうち雌ネジ部４０の下側には雌ネジ部４０が形成されていない滑面４２が全周に亘って存在している。図５のように保持リング１４が本体１３に螺着した状態において、保持リング１４の雌ネジ部４０の下側の滑面４２は、本体１３のハウジング１５の周壁部１８の下部１８ｂの滑面２２と径方向に隙間をあけて対峙する。このように保持リング１４の雌ネジ部４０の下側の滑面４２と本体１３のハウジング１５の周壁部１８の下部１８ｂの滑面２２との間には隙間が形成されるが、その隙間は衣服１００の厚さ以上とされることが好ましい。
【００３０】
保持リング１４は、軸線方向の寸法に対して径方向の寸法が小さい薄肉の筒状である。保持リング１４の下端部には径方向外側に向けてフランジ部４３が周設されている。保持リング１４のフランジ部４３の外径は、本体１３のフランジ部１９の外径と略同じである。保持リング１４の下端面即ちフランジ部４３の下面が保持リング１４の狭持面４３ａである。保持リング１４のフランジ部４３は略水平に延びており、保持リング１４の狭持面４３ａは保持リング１４の軸線方向と直交する面であり且つ水平面であって、凹凸のない平滑面となっている。
【００３１】
保持リング１４の狭持面４３ａと本体１３の狭持面１９ａとの間に衣服１００を挟み込む。図４及び図５に取り付け孔１０１の開口縁部における衣服１００を二点鎖線で示している。このように保持リング１４の狭持面４３ａと本体１３の狭持面１９ａは互いに平行に対向して衣服１００を狭持する。上述のように本体１３の狭持面１９ａには押圧突起２３が形成されているので、衣服１００を開口縁部の全周に亘って均等に狭持するのではなく、本体１３の狭持面１９ａの押圧突起２３と保持リング１４の狭持面４３ａとで衣服１００を局所的に強く挟み込むことになる。尚、衣服１００を挟み込まない状態においては、押圧突起２３に保持リング１４の狭持面４３ａが当接する。押圧突起２３に保持リング１４の狭持面４３ａが当接した状態においては、本体１３の狭持面１９ａのうち押圧突起２３が形成されていない部分と保持リング１４の狭持面４３ａとの間には、押圧突起２３の高さに相当する隙間が形成される。
【００３２】
保持リング１４の外周面には、保持リング１４を回転操作する際の滑り止めとなる凹凸が形成されている。凹凸形状は任意であるが、本実施形態では、凸部４４と凹部４５とが周方向に交互に形成されている。凸部４４と凹部４５は全周に亘って交互に形成されている。尚、凸部４４において保持リング１４の肉厚は相対的に厚くなっていて、凹部４５において保持リング１４の肉厚は相対的に薄くなっている。
【００３３】
以上のように構成された衣服用ファン１は例えば以下のようにして衣服１００の取り付け孔１０１に取り付けられる。即ち、衣服１００の表側から本体１３を取り付け孔１０１に挿入する。本体１３のハウジング１５は取り付け孔１０１を通って衣服１００の裏側に突出する。一方、ハウジング１５のフランジ部１９は取り付け孔１０１を通過することができずに衣服１００の取り付け孔１０１の開口縁部の表面に当接する。衣服１００の裏側に突出した本体１３のハウジング１５の周壁部１８の下部１８ｂの外周面に保持リング１４を螺着させる。そして、保持リング１４を時計回りに強く締め込むことで、衣服１００の取り付け孔１０１の開口縁部を保持リング１４のフランジ部４３と本体１３のフランジ部１９とで狭持する。このように保持リング１４を本体１３に螺着させることで衣服１００に衣服用ファン１を取り付けることができる。逆に、衣服１００から衣服用ファン１を取り外す際には、保持リング１４を反時計回りに回転させて本体１３から保持リング１４を取り外すことで衣服１００の狭持状態を解除して、本体１３を衣服１００の取り付け孔１０１から表側に取り外す。
【００３４】
このように保持リング１４の回転操作という簡単な操作で本体１３と保持リング１４との間に衣服１００を狭持できるので、衣服用ファン１を衣服１００に容易に取り付けることができ、また、衣服１００からの取り外しも容易である。また、保持リング１４を回転させて本体１３と共に衣服１００を狭持するので、従来のようなゴムベルトは不要であり、耐久性にも優れている。
【００３５】
また、本体１３のフランジ部１９の狭持面１９ａに押圧突起２３が形成されているので、押圧突起２３を衣服１００に強く押し付けることができて、衣服用ファン１を衣服１００に確実に取り付けることができる。また、保持リング１４にフランジ部４３を設けているので、保持リング１４の狭持面４３ａの径方向の寸法（幅）を拡大することでき、安定した取付状態が得られる。
【００３６】
本体１３の周壁部１８の下部１８ｂを衣服１００の取り付け孔１０１に挿入したり取り付け孔１０１から取り外したりする際に、雄ネジ部２１が衣服１００の取り付け孔１０１の開口縁部と摺動する可能性があるが、雄ネジ部２１のネジ山の先端部が丸味を帯びているので、雄ネジ部２１が衣服１００に引っ掛かりにくく、スムーズに本体１３を取り付け孔１０１に抜き差しすることができる。また、本体１３の周壁部１８の下部１８ｂの外周面において雄ネジ部２１の下側には滑面２２が形成されていて、保持リング１４の雌ネジ部４０の下側にも滑面４２が形成されていて、本体１３に保持リング１４を螺着した状態で、保持リング１４の雌ネジ部４０の下側の滑面４２と本体１３のハウジング１５の周壁部１８の下部１８ｂの滑面２２との間に隙間が形成されるので、仮に本体１３を衣服１００の取り付け孔１０１に対して偏心していても、本体１３の滑面２２と保持リング１４の滑面４２との間の隙間に衣服１００の開口縁部が折れ曲がるようにして入り込むことができる。そのため、仮に本体１３が衣服１００の取り付け孔１０１に対して偏心したとしても、衣服１００に衣服用ファン１をしっかりと取り付けることができる。
【００３７】
尚、本実施形態では、保持リング１４を本体１３のハウジング１５の周壁部１８の下部１８ｂの外周面に螺着する構成であったが、ネジ以外の構成によって保持リング１４を本体１３のハウジング１５の周壁部１８の下部１８ｂの外周面に回転させつつ装着するようにしてもよい。例えば、図１４〜図１７には、ネジではなく係合溝５０による構成を示している。図１６のようにハウジング１５の周壁部１８の下部１８ｂの外周面には係合溝５０が形成されている。該係合溝５０は、斜め下方に向かう傾斜溝５１と、傾斜溝５１の上端部から周壁部１８の下部１８ｂの上端部まで上下方向（軸線方向）に延びる縦溝５２とから構成されている。傾斜溝５１の周方向に対する傾斜角度は４５度未満であることが好ましい。傾斜溝５１の下端部は周壁部１８の下部１８ｂの外周面の上下方向中途部に位置していてフランジ部１９から上方に離れて位置している。このような係合溝５０は、ハウジング１５の周壁部１８の下部１８ｂの外周面に１８０度対向して一対形成されている。但し、係合溝５０の個数、配置は任意である。
【００３８】
一方、保持リング１４の内周面には、本体１３の係合溝５０に係合する係合突起６０が形成されている。係合突起６０は、本体１３の係合溝５０の個数と配置に対応して形成されていて、本実施形態では１８０度対向した二箇所の位置にそれぞれ径方向内側に向けて突設されている。係合突起６０の形状は任意であるが、例えば円柱状としてよい。尚、保持リング１４の外周面には係合突起６０に対応した位置に突条６１が形成されており、該突条６１が目印となり、突条６１の位置によってその径方向内側に位置する係合突起６０の位置を把握できる。
【００３９】
図１４及び図１５のように保持リング１４を本体１３に装着する際、保持リング１４の係合突起６０を係合溝５０の縦溝５２の上側に位置させて、そこから保持リング１４を下降させて係合突起６０を縦溝５２に係合させる。そして、保持リング１４を平面視において時計回りに回転させることで、係合突起６０が傾斜溝５１の下端部に向けて移動する。このように係合突起６０が係合溝５０の傾斜溝５１に案内されることで、保持リング１４は傾斜溝５１に沿って徐々に下降して本体１３のフランジ部１９に接近していく。従って、保持リング１４のフランジ部４３と本体１３のフランジ部１９との間に衣服１００を狭持することができる。
【００４０】
また、本体１３と保持リング１４には緩み止め機構を設けることが好ましい。具体的には、本体１３のハウジング１５の周壁部１８の下部１８ｂの外周面には、上下方向に延びる係止溝５３が形成されている。係止溝５３は、周壁部１８の下部１８ｂの外周面の上端から下端まで上下方向の全長に亘って形成されている。係止溝５３は一本であってもよいが本実施形態では周方向に等間隔で多数本並設されている。そして、この多数本ワンセットになった係止溝５３の群が、１８０度対向して一対設けられている。
【００４１】
一方、保持リング１４は、その全周のうちの一箇所に可撓片６２を備えている。該可撓片６２の左右両側（周方向の両側）には、それぞれスリット６３が形成されている。スリット６３は、保持リング１４の上端から保持リング１４の下端近傍まで延びている。従って、可撓片６２は、その下端部においてのみ保持リング１４の他の部分とつながっていて、その下端部を支点として径方向の内外に弾性変形する。かかる可撓片６２の内面に、本体１３の係止溝５３に係止する係止突条６４が形成されている。係止突条６４は上下方向即ち保持リング１４の軸線方向に沿って延びている。尚、係止突条６４の上下方向の長さは係止溝５３のそれよりも短い。そして、係止突条６４は可撓片６２の上部に形成されている。
【００４２】
上述したように保持リング１４を回転させながら本体１３に装着していく際に、保持リング１４の係止突条６４は本体１３の係止溝５３に順次係止していく。保持リング１４を本体１３に装着していく際、保持リング１４の係止突条６４は、最初に、正面から見て最も右側の係止溝５３に係止する。その位置から更に保持リング１４を平面視時計回りに回転させると、可撓片６２が径方向外側に弾性変形して係止溝５３同士の間の突条を乗り越えて、左隣の係止溝５３に再び係止する。即ち、係止突条６４は右側の係止溝５３から左側の係止溝５３へと順次ラッチの如く係止していく。そして、図１５のように、保持リング１４の係合突起６０が本体１３の係合溝５０の下端部近傍に達すると、一群の多数本の係止溝５３のうち正面から見て最も左側に位置する係止溝５３に係止突条６４が係止する。
【００４３】
このように本体１３の係止溝５３に保持リング１４の係止突条６４が係止することにより、その位置に保持リング１４を係止することができ、保持リング１４の緩みが防止される。また、係止溝５３が多数本並設されているので、何れの係止溝５３に係止突条６４が係止してもその位置で保持リング１４が係止されることになる。従って、衣服１００の厚さが増減しても容易にそれに対応することができ、衣服１００が薄い場合には左寄りの係止溝５３に係止突条６４を係止させればよく、衣服１００が厚い場合には右寄りの係止溝５３に係止突条６４を係止させればよい。
【００４４】
尚、可撓片６２は、保持リング１４の上端よりも上方に所定長さ突出していることが好ましい。保持リング１４の上端から上方に突出した可撓片６２の上方突出部６５を指で径方向外側に押すことで、可撓片６２を強制的に径方向外側に弾性変形させて係止突条６４を係止溝５３から外すことができる。そして、この状態で、保持リング１４を装着時とは反対の方向に回転させることで、保持リング１４を本体１３から取り外すことができる。
【００４５】
尚、保持リング１４を装着時とは反対の方向に回転させようとする回転操作力が所定値を超えると、係止突条６４が係止溝５３から受ける反力によって可撓片６２が径方向外側に弾性変形させられて、係止突条６４が係止溝５３を乗り越えていくように構成してもよい。このように構成すると、保持リング１４を本体１３から取り外すときに、上述した上方突出部６５を指で径方向外側に押す操作が不要となるので便利である。
【００４６】
尚、係止溝５３を一本のみ形成するようにしてもよい。また、本体１３に係合突起６０を形成し、保持リング１４に係合溝５０を形成するようにしてもよい。同様に、本体１３に係止突条６４を形成し、保持リング１４に係止溝５３を形成してもよい。
【００４７】
また、保持リング１４にフランジ部４３を設けたが、フランジ部４３を設けない構成としてもよい。但し、フランジ部４３を設けることにより保持リング１４の狭持面４３ａの幅を拡大できる。
【符号の説明】
【００４８】
１    衣服用ファン
２    バッテリ
３    給電ケーブル
４    オス側コネクタ
１０    羽体
１１    モータ
１２    主軸
１３    本体
１４    保持リング
１５    ハウジング
１６    底面部
１７    天面部
１７ａ  頂上部
１７ｂ  肩部
１８    周壁部
１８ａ  上部
１８ｂ  下部
１９    フランジ部
１９ａ  狭持面
２０    通気孔
２１    雄ネジ部
２１ａ  始点
２１ｂ  終点
２２    滑面
２３    押圧突起
２４    通気孔
２５    差し込み口
２６    受電コネクタ
２７    逃げ部
３０    ベース
３１    カバー
３２    キャップ
３５    開口部
３６    モータ保持部
４０    雌ネジ部
４１    雌ネジ部が形成されていない角度範囲
４２    滑面
４３    フランジ部
４３ａ  狭持面
４４    凸部
４５    凹部
５０    係合溝
５１    傾斜溝
５２    縦溝
５３    係止溝
６０    係合突起
６１    突条
６２    可撓片
６３    スリット
６４    係止突条
６５    上方突出部
１００  衣服
１０１  取り付け孔
Ｓ    隙間
【図１】
2018109390.tif 000003
【図２】
2018109390.tif 000004
【図３】
2018109390.tif 000005
【図４】
2018109390.tif 000006
【図５】
2018109390.tif 000007
【図６】
2018109390.tif 000008
【図７】
2018109390.tif 000009
【図８】
2018109390.tif 000010
【図９】
2018109390.tif 000011
【図１０】
2018109390.tif 000012
【図１１】
2018109390.tif 000013
【図１２】
2018109390.tif 000014
【図１３】
2018109390.tif 000015
【図１４】
2018109390.tif 000016
【図１５】
2018109390.tif 000017
【図１６】
2018109390.tif 000018
【図１７】
2018109390.tif 000019
【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
衣服の取り付け孔に取り付けられて衣服の表側と裏側を通気させるための衣服用ファンであって、
羽体と該羽体を内側に備えるハウジングとを備えた本体と、該本体に着脱自在に取り付けられる保持リングとを備え、
ハウジングは、衣服の取り付け孔に挿入される筒状の周壁部と、該周壁部の一端部側の外周面に突設されたフランジ部とを備え、
保持リングは、本体のフランジ部との間に衣服を挟み込むために、ハウジングの周壁部の外周面に他端部側から螺着される構成であり、
ハウジングの周壁部の外周面の一端部側には、雄ネジ部が形成されていない滑面が設けられ、該ハウジングの滑面に対応して、保持リングの内周面には、雌ネジ部が形成されていない滑面が設けられ、ハウジングに保持リングが螺着された状態において、ハウジングの滑面と保持リングの滑面との間には衣服の厚さ以上の隙間が形成されることを特徴とする衣服用ファン。
【請求項２】
雄ネジ部のネジ山の先端部が断面視円弧状である請求項１記載の衣服用ファン。
【請求項３】
衣服を保持リングと共に狭持するためのフランジ部の狭持面には、衣服に押し付けられる押圧突起が形成されている請求項１又は２記載の衣服用ファン。
【請求項４】
衣服と、該衣服の取り付け孔に取り付けられて衣服の表側と裏側を通気させるための衣服用ファンとを備えたファン付き衣服であって、
ファンは、羽体と該羽体を内側に備えるハウジングとを備えた本体と、該本体に着脱自在に取り付けられる保持リングとを備え、
ハウジングは、衣服の取り付け孔に挿入される筒状の周壁部と、該周壁部の一端部側の外周面に突設されたフランジ部とを備え、
保持リングは、本体のフランジ部との間に衣服を挟み込むために、ハウジングの周壁部の外周面に他端部側から螺着される構成であり、
ハウジングの周壁部の外周面の一端部側には、雄ネジ部が形成されていない滑面が設けられ、該ハウジングの滑面に対応して、保持リングの内周面には、雌ネジ部が形成されていない滑面が設けられ、ハウジングに保持リングが螺着された状態において、ハウジングの滑面と保持リングの滑面との間には衣服の厚さ以上の隙間が形成されることを特徴とするファン付き衣服。
【手続補正３】
【補正対象書類名】明細書
【補正対象項目名】０００１
【補正方法】変更
【補正の内容】
【０００１】
本発明は、衣服の取り付け孔に取り付けられる衣服用ファンと、ファン付き衣服に関する。
【手続補正４】
【補正対象書類名】明細書
【補正対象項目名】０００５
【補正方法】変更
【補正の内容】
【０００５】
それゆえに本発明は上記従来の問題点に鑑みてなされ、衣服への取り付け作業が容易であって耐久性にも優れた衣服用ファンと、ファン付き衣服を提供することを課題とする。
【手続補正５】
【補正対象書類名】明細書
【補正対象項目名】０００６
【補正方法】変更
【補正の内容】
【０００６】
本発明は上記課題を解決すべくなされたものであって、本発明に係る衣服用ファンは、衣服の取り付け孔に取り付けられて衣服の表側と裏側を通気させるための衣服用ファンであって、羽体と該羽体を内側に備えるハウジングとを備えた本体と、該本体に着脱自在に取り付けられる保持リングとを備え、ハウジングは、衣服の取り付け孔に挿入される筒状の周壁部と、該周壁部の一端部側の外周面に突設されたフランジ部とを備え、保持リングは、本体のフランジ部との間に衣服を挟み込むために、ハウジングの周壁部の外周面に他端部側から螺着される構成であり、ハウジングの周壁部の外周面の一端部側には、雄ネジ部が形成されていない滑面が設けられ、該ハウジングの滑面に対応して、保持リングの内周面には、雌ネジ部が形成されていない滑面が設けられ、ハウジングに保持リングが螺着された状態において、ハウジングの滑面と保持リングの滑面との間には衣服の厚さ以上の隙間が形成されることを特徴とする。
【手続補正６】
【補正対象書類名】明細書
【補正対象項目名】０００８
【補正方法】変更
【補正の内容】
【０００８】
特に、雄ネジ部のネジ山の先端部が断面視円弧状であることが好ましい。
【手続補正７】
【補正対象書類名】明細書
【補正対象項目名】００１０
【補正方法】変更
【補正の内容】
【００１０】
また、本発明に係るファン付き衣服は、衣服と、該衣服の取り付け孔に取り付けられて衣服の表側と裏側を通気させるための衣服用ファンとを備えたファン付き衣服であって、ファンは、羽体と該羽体を内側に備えるハウジングとを備えた本体と、該本体に着脱自在に取り付けられる保持リングとを備え、ハウジングは、衣服の取り付け孔に挿入される筒状の周壁部と、該周壁部の一端部側の外周面に突設されたフランジ部とを備え、保持リングは、本体のフランジ部との間に衣服を挟み込むために、ハウジングの周壁部の外周面に他端部側から螺着される構成であり、ハウジングの周壁部の外周面の一端部側には、雄ネジ部が形成されていない滑面が設けられ、該ハウジングの滑面に対応して、保持リングの内周面には、雌ネジ部が形成されていない滑面が設けられ、ハウジングに保持リングが螺着された状態において、ハウジングの滑面と保持リングの滑面との間には衣服の厚さ以上の隙間が形成されることを特徴とする。